(57)【要約】【課題】  従来のディスク装置にきわめて簡単な構成の変更を加えるだけで、スライダを第１位置や第２位置に位置決めするスナップばねが、正規姿勢から反転して不良姿勢になることを防止する。不良姿勢のスナップばねが、スライダの適正な左右移動動作を通じて正規姿勢に姿勢修正されるようにする。【解決手段】  ラック５を備えたスライダ４が第１位置と第２位置との間で左右移動可能であり、各位置では、ラック５が駆動ピニオン６から離れるようになっている。スナップばね８は、スライダ４を第１位置及び第２位置でそれぞれ位置決めする作用を発揮する。スナップばね８の脚部８２に対峙する突起９を支持体２に突設する。【選択図】        図１
2005190577.tif 000002
【特許請求の範囲】
【請求項１】
駆動ピニオンによって左右方向の送り力が付与されるラックを備えたスライダが、上記ラックの一端が上記駆動ピニオンの片側へ移動してその駆動ピニオンから離れる第１位置と、上記ラックの他端が上記駆動ピニオンの他側へ移動してその駆動ピニオンから離れる第２位置との間で左右移動可能に支持体に取り付けられ、
コイル巻き部とそのコイル巻き部から延び出て上記スライダと上記支持体とに各別に連結された一対の脚部とを有する反転動作可能なスナップばねを備えていて、上記スライダが第１位置と第２位置との間で左右移動するときに上記スナップばねが反転動作を伴わずに正規姿勢を保ち、かつ、上記スライダの第１位置及び第２位置で上記ラックが上記駆動ピニオンから離れる方向に上記スナップばねによって付勢されるようになっているディスク装置において、
上記支持体を備えたフレーム枠部材と、このフレーム枠部材の内部と外部との間でディスクを搬入出するディスクトレイと、ディスクトレイによってフレーム枠部材の内部に搬入されたディスクをディスクトレイから受け取ってチャッキングするディスクチャッキング機構と、ディスクチャッキング機構でチャッキングされたディスクを回転させるターンテーブルと、ターンテーブルによって回転させられるディスクの記録面を走査する光ピックアップとを備え、ディスクトレイがディスクをディスクチャッキング機構に対する受渡し位置に搬入しているときに上記スライダが第１位置に位置し、ディスクトレイがディスクをフレーム枠部材の外部に搬出しているときに上記スライダが第２位置に位置するようになっており、
上記スナップばねは、一方の上記脚部の端部に形成された環部が上記支持体に突設された突起でなる固定側ばね受けフックに遊嵌合して連結され、他方の上記脚部の端部に形成された環部が上記スライダの定位置に突設された突起でなる可動側ばね受けフックに遊嵌合して連結されていると共に、スライダが第１位置に位置しているときに一対の脚部のいずれか一方の脚部の変位を阻止することによって上記スナップばねが正規姿勢から反転して不良姿勢になることを防止する反転防止手段が備わり、
上記反転防止手段が、上記支持体に連結されている一方の上記脚部の支持体との連結箇所と上記コイル巻き部との間の箇所でその脚部に対峙する位置で上記支持体に突設された突起でなることを特徴とするディスク装置。
【請求項２】
駆動ピニオンによって左右方向の送り力が付与されるラックを備えたスライダが、上記ラックの一端が上記駆動ピニオンの片側へ移動してその駆動ピニオンから離れる第１位置と、上記ラックの他端が上記駆動ピニオンの他側へ移動してその駆動ピニオンから離れる第２位置との間で左右移動可能に支持体に取り付けられ、
コイル巻き部とそのコイル巻き部から延び出て上記スライダと上記支持体とに各別に連結された一対の脚部とを有する反転動作可能なスナップばねを備えていて、上記スライダが第１位置と第２位置との間で左右移動するときに上記スナップばねが反転動作を伴わずに正規姿勢を保ち、かつ、上記スライダの第１位置及び第２位置で上記ラックが上記駆動ピニオンから離れる方向に上記スナップばねによって付勢されるようになっているディスク装置において、
スライダが第１位置に位置しているときに一対の脚部のいずれか一方の脚部の変位を阻止することによって上記スナップばねが正規姿勢から反転して不良姿勢になることを防止する反転防止手段が備わっていることを特徴とするディスク装置。
【請求項３】
上記反転防止手段が、上記支持体に連結されている一方の上記脚部の支持体との連結箇所と上記コイル巻き部との間の箇所でその脚部に対峙する位置で上記支持体に突設された突起でなる請求項２に記載したディスク装置。
【請求項４】
一方の上記脚部の端部に形成された環部が上記支持体に突設された突起でなる固定側ばね受けフックに遊嵌合して連結され、他方の上記脚部の端部に形成された環部が上記スライダの定位置に突設された突起でなる可動側ばね受けフックに遊嵌合して連結されている請求項３に記載したディスク装置。
【発明の詳細な説明】
【技術分野】
【０００１】
本発明は、情報媒体としてのディスクを取り扱うディスク装置、特に、駆動ピニオンによって左右方向の送り力が付与されるスライダを備えているディスク装置に関する。
【背景技術】
【０００２】
図３〜図７を参照して従来のこの種のディスク装置を説明する。
【０００３】
平面視矩形枠型のフレーム枠部材１の前端部に平坦な上面を備えた支持体２が一体成形によって横架されている。また、フレーム枠部材１には、その内部と外部との間でディスクを搬入出するためのディスクトレイ３と、ディスクトレイ３によってフレーム枠部材１の内部に搬入されたディスク（不図示）をディスクトレイ３から受け取ってチャッキングするディスクチャッキング機構（不図示）と、ディスクチャッキング機構でチャッキングされたディスクを回転させるターンテーブル（不図示）と、ターンテーブルと共に回転さするディスクの記録面を走査する光ピックアップ（不図示）とを備えている。このうち、ディスクチャッキング機構は、ターンテーブルに付設された第１要素とフレーム枠部材１に具備されているホルダー部１１に保持される第２要素とによってディスクを挟持する機能を有している。
【０００４】
上記支持体２の上面にスライダ４が重なり状に取り付けられている。このスライダ４は、支持体２に具備された左右に長いまっすぐなガイド孔２１に対する摺動係止片４１を備えていて、この摺動係止片４１がガイド孔２１によって左右に案内される。また、スライダ４には短いラック５が一体に備わっていて、このラック５が、フレーム枠部材１１の定位置に回転可能に配備した駆動ピニオン６に対して噛合い可能及び噛合い解除可能に対応している。
【０００５】
この駆動ピニオン６は、ラック５に左右方向の送り力を付与してスライダ４をガイド孔２１に沿って左右移動させるために設けられているけれども、駆動ピニオン６に噛み合ったラック５に付与される送り力によってスライダ４が左右移動される長さ範囲（ピニオン駆動長さ範囲）は、ガイド孔２１内で摺動係止片４１が摺動して左右に案内されることによるスライダ４の最大の移動長さ範囲（最大移動長さ範囲）内に収まっている。すなわち、スライダ４の左右移動時の最大移動長さ範囲はピニオン駆動長さ範囲の両側に延び出ている。そして、スライダ４の最大移動長さ範囲が、支持体２に備わっている第１ストッパ２２と、ガイド孔２１の一端によって形成されている第２ストッパ２３とによって規制されるようになっていて、スライダ４の最大移動長さ範囲の片側端でのスライダ４の位置が第１位置とされ、スライダ４の最大移動長さ範囲の他側端でのスライダ４の位置が第２位置とされている。
【０００６】
図３はスライダ４が第１位置に位置している状態を示していて、同図のように、スライダ４が第１位置に位置しているときには、ラック５と駆動ピニオン６との噛合いが解除されてラック５の一端５１が駆動ピニオン６の片側（左側）へ移動し、ラック５は駆動ピニオン６から離れている。これに対し、図４はスライダ４が第２位置に位置している状態を示していて、同図のように、スライダ４が第２位置に位置しているときには、ラック５と駆動ピニオン６との噛合いが解除されてラック５の他端５２が駆動ピニオン６の他側（右側）へ移動し、ラック５は駆動ピニオン６から離れている。
【０００７】
一方、駆動ピニオン６と同軸一体にディスクトレイ搬入出用のピニオン７が備わっているのに対し、図５のようにディスクトレイ３にはピニオン７に対応するラック３１が備わっている。また、図３又は図４のようにスライダ４に突起４２が一体に備わっているのに対し、図５のようにディスクトレイ３にはその突起４２に対応するガイド溝３２が備わっている。
【０００８】
次にスライダ４が第１位置と第２位置との間で左右移動するときの動作などを説明する。
【０００９】
スライダ４が図３のように第１位置に位置しているときには、図５のように突起４２がガイド溝３２の横行部３２ａに位置してディスクトレイ３が前進位置に位置決めされている。このときには、ディスクトレイ３とディスクチャッキング機構との間でのディスクの受取り受渡しが可能であり、図５明示のようにラック３１はピニオン７から離れている。
【００１０】
この状態からディスク搬出モードが選択されると、ピニオン７が図中時計方向に回転を開始し、図示していない制御カムの作用によりスライダ４が第１位置を離れて第２位置に向けて始動する。このようなスライダ４の始動によってラック５の一端５１が駆動ピニオン６に噛み合い、駆動ピニオン６による送り力がラック５を介してスライダ４に付与される。したがって、スライダ４が第２位置に向けて移動し続け、その移動中に、スライダ４の動作にカム機構を介して連動するチャッキング機構からディスクがディスクトレイ３に受け渡され、その直後のスライダ５の移動により突起４２がガイド溝３２の傾斜部３２ｂに入ってディスクトレイ３を前進位置から少し後退させる。こうしてディスクトレイ３が少し後退すると、ラック３１がピニオン７に噛み合うので、ピニオン７の回転がラック３１に伝達されてディスクトレイ３が図４のようにフレーム枠部材１の外部に引き出されて後退位置に達し、それによりディスクが搬出される。また、ピニオン７の回転によってディスクトレイ３が図３の前進位置からの後退動作を開始した後では、突起４２がガイド溝３２の傾斜部３２ｂから直線部３２ｃに移行し、その後のディスクトレイ３の後退動作によって突起４２が直線部３２ｃの出口付近に備わっている曲り部３２ｄに入り、それによってスライダ４がさらに移動して第２位置に達する。こうしてスライダ４が第２位置に位置することにより、図４明示のようにラック５の他端５２が駆動ピニオン６の他側に位置してラック５が駆動ピニオン６から離れる。ディスクトレイ３が図４のように後退位置に引き出されているときには、スライダ４の突起４２がガイド溝３１の直線部３２ｃの曲り部３２ｄを経てその端部３２ｃ’に位置している。
【００１１】
ディスクトレイ３が図４のように後退位置に引き出されている状態からディスク搬入モードが設定されると、ピニオン７が図中反時計方向に回転を開始し、その回転によりラック３１を介してディスクを搭載しているディスクトレイ３が図４の後退位置から前進する。こうしてディスクトレイ３が前進することによって、スライダ４の突起４１がガイド溝３２の直線部３２ｃから傾斜部３２ｂに移行して突起４１が傾斜部３２ｂの溝壁で横方向に少し押されると、スライダ４が第２位置から第１位置に向けて少し移動するので、それに伴ってラック５の他端５２が駆動ピニオン６に噛み合って駆動ピニオン６による送り力がラック５を介してスライダ４に付与される。そして、スライダ４が駆動ピニオン６によって第２位置に向けて送られることにより、突起４１がガイド溝３２の横行部３２ａに入り、それに伴ってディスクトレイ３が前進位置に達して位置決めされると共に、ディスクトレイ３のラック３１がピニオン７から離れる。また、突起４１がガイド溝３２の傾斜部３２ｂから横行部３２ａに入る動作と併行して、スライダ４の動作に上記カム機構を介して連動するチャッキング機構がディスクトレイ３からディスクを受け取る。
【００１２】
上記のような動作を行うこのディスク装置では、ディスクトレイ３の取付箇所や突起４２とガイド溝３２との係合箇所に一定の遊びを付与することによって、ディスクトレイ３の動作などが円滑に行われるようにしている。そのため、上記したディスク搬入モードが実行されてディスクトレイ３が図３の前進位置に達した後の段階では、スライダ４を第１位置に確実に位置決めする手段を設けることによって、そのラック５が駆動ピニオン６に噛み合わないようにしておくという対策を講じることが必要である。また、ディスク搬出モードが実行されてディスクトレイ３が図４の後退位置に達した後の段階でも、スライダ４を第２位置に確実に位置決めする手段を設けることによって、そのラック５が駆動ピニオン６に噛み合わないようにしておくという対策を講じることが必要である。これは、第１位置や第２位置に達したスライダ４がそれらの位置から後退すると、ラック６が駆動ピニオン６に噛み合うという事態の起こるおそれがあり、そのような事態が起こると、スライダ４とカム機構によって連動しているチャッキング機構の動作や、駆動ピニオン６やピニオン７を駆動しているモータによって駆動される光ピックアップなどの動作などとの関係で、動作不良などのトラブルを発生することになるからである。
【００１３】
そこで、従来のディスク装置では、スナップばね８を用いることによって、第１位置や第２位置に達したスライダ４がそれらの位置から後退することを防ぐようにしている。
【００１４】
図６のように、このスナップばね８は、コイル巻き部８１とそのコイル巻き部８１の周方向の所定箇所（たとえば１箇所）から異なる接線方向に延び出た一対の脚部８２，８３とを備えていて、一方の脚部８２の端部に形成された環部８２ａが支持体２に突設された突起でなる固定側ばね受けフック２５に遊嵌合して連結され、他方の脚部８３の端部に形成された環部８３ａがスライダ４の定位置に突設された突起でなる可動側ばね受けフック４５に遊嵌合して連結されている。しかも、図６に仮想線イ，ロで示したように、スライダ４が図３や図４で説明した第１位置や第２位置に位置しているときには、一対の脚部８２，８３の開き角度θ１，θ２が、無負荷時の一対の脚部８２，８３の開き角度θよりも小さくなる適正姿勢を保つように定めてあって、スライダ４が第１位置と第２位置との間で左右移動するときには、当該スナップばね８が反転動作を伴わずに正規姿勢を保つようにしてある。
【００１５】
このようなスナップばね８を用いると、スライダ４が図３で示した第１位置に位置しているときには、スナップばね８が図６の仮想線イの形態に撓み変形していて、その復帰力によって矢印ａのようにスライダ４が付勢されるので、スライダ４が第１ストッパ２２に常時弾性的に押し付けられた状態、すなわちラック５が駆動ピニオン６から離れる方向に付勢された状態を保つ。また、スライダ４が図４で示した第２位置に位置しているときには、スナップばね８が図６の仮想線ロの形態に撓み変形していて、その復帰力によって矢印ｂのようにスライダ４が付勢されるので、スライダ４の摺動係止片４１が第２ストッパ２３に常時弾性的に押し付けられた状態、すなわちラック５が駆動ピニオン６から離れる方向に付勢された状態を保つ。したがって、スライダ４が第１位置や第２位置に位置しているときに、スナップばね８が図６の仮想線イ，ロで示した正規姿勢を保っていれば、適正な付勢力がスライダ４に付与されるようになるので、ラック５が駆動ピニオン６に噛み合って動作不良を起こすおそれはない。
【００１６】
一方、従来より、フロッピー（登録商標）ディスクのシャッター開閉装置にねじりコイルばねを用いることが知られ（特許文献１参照）、磁気テープ装置におけるカセットホルダの開閉装置にねじりコイルばねを用いることが知られている（特許文献２参照）。
【特許文献１】特開昭６３−１９１４７９号公報
【特許文献２】特開２０００−２２２８７２号公報
【発明の開示】
【発明が解決しようとする課題】
【００１７】
しかしながら、上記したスナップばね８は、図６で説明したように、コイル巻き部８１の周方向の所定箇所から異なる接線方向に延び出た一対の脚部８２，８３の開き角度θ１，θ２を、無負荷時の開き角度θよりも小さくして固定側ばね受けフック２５と可動側ばね受けフック４５とに各別に連結してあるので、図７（Ａ）（Ｂ）に実線で示したように、その反転動作によってコイル巻き部８１が正規姿勢の位置（仮想線で示してある）から反転してしまうという事態が起こり得る。このようにスナップばね８の姿勢が正規姿勢から反転して不良姿勢になったまま保たれると、第１位置や第２位置でスライダ４に加わる付勢方向が正規方向に保たれるものの、必要とする大きさの付勢力が得られなくなって、スライダ４が第１位置又は第２位置から後退してそのラック５が駆動ピニオン６に噛み合うおそれが生じたり、あるいは、ディスクの搬入出時などにスナップばね８が不良姿勢を保ったままスライダ４が左右移動されてスナップばね８が折損したりするおそれがあった。スナップばね８の姿勢が、正規姿勢から反転して不良姿勢になったまま保たれるという事態は、たとえば、スナップばね８の組付け作業中に起こったり、ディスク装置の運搬中に発生する振動などが原因になって起こったりすることが判っている。
【００１８】
本発明は以上の状況に鑑みてなされたものであり、従来のディスク装置にきわめて簡単な構成の変更を加えるだけで、反転動作可能なスナップばねが、正規姿勢から反転して不良姿勢になることを未然に防止することのできるディスク装置を提供することを目的とする。
【００１９】
また、本発明は、スナップばねの組付け作業中やディスク装置の運搬中などに、スナップばねが正規姿勢から反転して不良姿勢になったとしても、スライダの適正な左右移動動作が行われることによってそのスナップばねが正規姿勢に自然に姿勢修正されて、その後は不良姿勢に反転することがなくなるディスク装置を提供することを目的とする。
【課題を解決するための手段】
【００２０】
本発明に係るディスク装置は、駆動ピニオンによって左右方向の送り力が付与されるラックを備えたスライダが、上記ラックの一端が上記駆動ピニオンの片側へ移動してその駆動ピニオンから離れる第１位置と、上記ラックの他端が上記駆動ピニオンの他側へ移動してその駆動ピニオンから離れる第２位置との間で左右移動可能に支持体に取り付けられ、コイル巻き部とそのコイル巻き部から延び出て上記スライダと上記支持体とに各別に連結された一対の脚部とを有する反転動作可能なスナップばねを備えていて、上記スライダが第１位置と第２位置との間で左右移動するときに上記スナップばねが反転動作を伴わずに正規姿勢を保ち、かつ、上記スライダの第１位置及び第２位置で上記ラックが上記駆動ピニオンから離れる方向に上記スナップばねによって付勢されるようになっているディスク装置において、スライダが第１位置に位置しているときに一対の脚部のいずれか一方の脚部の変位を阻止することによって上記スナップばねが正規姿勢から反転して不良姿勢になることを防止する反転防止手段が備わっている、というものである。
【００２１】
この発明によると、スライダが第１位置に位置しているときのスナップばねの反転動作が反転防止手段によって防止される。また、スライダが第２位置に位置しているときにスナップばねが反転して不良姿勢になっているとしても、スライダが第２位置から第１位置に移動するときにその不良姿勢が修正されてスナップばねが正規姿勢に復帰する。この作用は、上記反転防止手段が、上記支持体に連結されている一方の上記脚部の支持体との連結箇所と上記コイル巻き部との間の箇所でその脚部に対峙する位置で上記支持体に突設された突起でなる、という構成を採用することによって確実に発揮される。
【００２２】
本発明では、一方の上記脚部の端部に形成された環部が上記支持体に突設された突起でなる固定側ばね受けフックに遊嵌合して連結され、他方の上記脚部の端部に形成された環部が上記スライダの定位置に突設された突起でなる可動側ばね受けフックに遊嵌合して連結されていることが望ましく、これによれば、支持体と脚部との連結箇所及びスライダと脚部との連結箇所がルーズになっているので、スライダの左右移動時にスナップばねに無理な力が加わりにくくなってスナップばねによる付勢作用が良好に発揮される。
【００２３】
本発明に係るディスク装置は、次の構成を採用することによっていっそう具体化される。すなわち、駆動ピニオンによって左右方向の送り力が付与されるラックを備えたスライダが、上記ラックの一端が上記駆動ピニオンの片側へ移動してその駆動ピニオンから離れる第１位置と、上記ラックの他端が上記駆動ピニオンの他側へ移動してその駆動ピニオンから離れる第２位置との間で左右移動可能に支持体に取り付けられ、コイル巻き部とそのコイル巻き部から延び出て上記スライダと上記支持体とに各別に連結された一対の脚部とを有する反転動作可能なスナップばねを備えていて、上記スライダが第１位置と第２位置との間で左右移動するときに上記スナップばねが反転動作を伴わずに正規姿勢を保ち、かつ、上記スライダの第１位置及び第２位置で上記ラックが上記駆動ピニオンから離れる方向に上記スナップばねによって付勢されるようになっているディスク装置において、上記支持体を備えたフレーム枠部材と、このフレーム枠部材の内部と外部との間でディスクを搬入出するディスクトレイと、ディスクトレイによってフレーム枠部材の内部に搬入されたディスクをディスクトレイから受け取ってチャッキングするディスクチャッキング機構と、ディスクチャッキング機構でチャッキングされたディスクを回転させるターンテーブルと、ターンテーブルによって回転させられるディスクの記録面を走査する光ピックアップとを備え、ディスクトレイがディスクをディスクチャッキング機構に対する受渡し位置に搬入しているときに上記スライダが第１位置に位置し、ディスクトレイがディスクをフレーム枠部材の外部に搬出しているときに上記スライダが第２位置に位置するようになっており、上記スナップばねは、一方の上記脚部の端部に形成された環部が上記支持体に突設された突起でなる固定側ばね受けフックに遊嵌合して連結され、他方の上記脚部の端部に形成された環部が上記スライダの定位置に突設された突起でなる可動側ばね受けフックに遊嵌合して連結されていると共に、スライダが第１位置に位置しているときに一対の脚部のいずれか一方の脚部の変位を阻止することによって上記スナップばねが正規姿勢から反転して不良姿勢になることを防止する反転防止手段が備わり、上記反転防止手段が、上記支持体に連結されている一方の上記脚部の支持体との連結箇所と上記コイル巻き部との間の箇所でその脚部に対峙する位置で上記支持体に突設された突起でなる、という構成を採用することによっていっそう具体化される。この発明の作用は既述した図３〜図７についての説明や、後述する実施形態についての説明によって明らかになる。
【発明の効果】
【００２４】
以上のように、本発明に係るディスク装置は、従来のディスク装置の支持体に、たとえば突起を付け加えるだけのきわめて簡単な構成の変更を加えるだけであるにもかかわらず、反転動作可能なスナップばねが、正規姿勢から反転して不良姿勢になることを未然に防止することができる。加えて、たとえスナップばねの組付け作業中やディスク装置の運搬中などにスナップばねが不良姿勢になったとしても、スライダの適正な左右移動動作が行われることによってそのスナップばねが正規姿勢に自然に姿勢修正されて、その後は反転して不良姿勢になることがなくなるので、スライダを第１位置及び第２位置で確実に位置決めするというスナップばねに要求される性能が確実に発揮され、併せて、スナップばねが折損するという事態も起こらなくなる。そのため、スナップばねの性能不良による不都合やスナップばねの折損によってディスク装置の性能が損なわれることがないという効果が得られる。
【発明を実施するための最良の形態】
【００２５】
図１は本発明に係るディスク装置の要部を拡大して示した平面図、図２（Ａ）（Ｂ）は説明図である。
【００２６】
この実施形態のディスク装置は、図１に示したように、支持体２に突起９を一体成形して設けてある以外は、図３〜図５で説明した従来のディスク装置と同様の構成であり、その作用については従来のディスク装置のそれと同様である。また、スナップばね８についても図６で説明したものと同様である。したがって、以下の説明では、従来のディスク装置と同様の構成や作用に関して、特に記述する事項以外は省略して説明の重複を避けることにする。また、従来のディスク装置と同一部分には同一符号を付す。
【００２７】
上記突起９は、スライダ４が図１に示した第１位置に位置しているときに、スナップばね８の一対の脚部８２，８３のうち、支持体２側の固定側ばね受けフック２５に連結されている一方の脚部８２の環部８２ａ（支持体との連結箇所）とコイル巻き部８１との間の箇所でその脚部８２に対峙する位置に突設されていて、その脚部８２の変位を阻止することによってスナップばね８が正規姿勢から反転して不良姿勢になることを防止するストッパとして機能する。そして、この突起９が反転防止手段を形成している。突起９の具体的な配備箇所は、図１のように、スライダ４が第１位置に位置しているときに、スナップばね８の一方の脚部８２にわずかな間隙を保って対峙する箇所を選定することが適切であるけれども、その配備箇所として、脚部８２に接触する箇所を選定してもよい。
【００２８】
この構成を採用すると、図２（Ｂ）のように、スライダ４が第２位置に位置しているときに、何らかの原因で同図実線で示したようにスナップばね８が反転しているとしても（仮想線は正規姿勢のスナップばね８を示している）、スライダ４がその第２位置から矢印Ｘのように第１位置に向けて移動すると、その移動の途中で、スナップばね８の一方の脚部８２が突起９に当接する。そのため、スライダ４が第１位置に向けて移動しても、一方の脚部８２は突起９に当接したままその位置にとどまるようになり、そのために、コイル巻き部８１がスナップばね８の中立点（スナップ動作の中立位置）を通過した時点でスナップばね８の姿勢が正規姿勢に修正される。こうしてスナップばね８の姿勢が一旦正規姿勢になると、その後では、スナップばね８が反転動作可能であるとしても、スナップばね８が正規姿勢から反転して不良姿勢になるという事態が起こらない。したがって、突起９は、スナップばね８が正規姿勢から反転して不良姿勢になることを未然に防止する作用を発揮するだけでなく、不良姿勢のスナップばね８を、スライダの適正な左右移動動作を利用して正規姿勢に自然に姿勢修正する作用を発揮する。
【００２９】
このことから、この実施形態のディスク装置では、スライダ４を第１位置及び第２位置で確実に位置決めするというスナップばね８に要求される性能が確実に発揮され、併せて、スナップばね８が折損するという事態も起こらなくなる。そのため、スナップばね８の性能不良による不都合やスナップばね８の折損によってディスク装置の性能が損なわれることがない。
【図面の簡単な説明】
【００３０】
【図１】本発明に係るディスク装置の要部を拡大して示した平面図である。
【図２】（Ａ）はスライダが第１位置に位置しているときの状態を示した説明図、（Ｂ）はスライダが第２位置に位置しているときの状態を示した説明図である。
【図３】スライダが第１位置に位置している状態での従来のディスク装置の一部破断平面図である。
【図４】スライダが第２位置に位置している状態での従来のディスク装置の一部破断平面図である。
【図５】スライダやディスクトレイなどの連動動作を説明するための概略平面図である。
【図６】スナップばねの作用説明図である。
【図７】（Ａ）は従来のディスク装置においてスライダが第１位置に位置しているときに起こり得る状況を示した説明図、（Ｂ）は従来のディスク装置においてスライダが第２位置に位置しているときに起こり得る状況を示した説明図である。
【符号の説明】
【００３１】
１  フレーム枠部材
２  支持体
３  ディスクトレイ
４  スライダ
５  ラック
６  駆動ピニオン
８  スナップばね
９  突起（反転防止手段）
２５  固定側ばね受けフック
４５  可動側ばね受けフック
５１  ラックの一端
５２  ラックの他端
８１  コイル巻き部
８２，８３  脚部
８２ａ，８３ａ  環部
【図１】
2005190577.tif 000003
【図２】
2005190577.tif 000004
【図３】
2005190577.tif 000005
【図４】
2005190577.tif 000006
【図５】
2005190577.tif 000007
【図６】
2005190577.tif 000008
【図７】
2005190577.tif 000009